(57)【要約】【課題】  プラットホーム用可動ステップ装置を簡単な機構で構成し、しかもプラットホームに容易に設置することができるプラットホーム用可動ステップ装置を提供する。【解決手段】  列車とプラットホームの縁との間に形成される隙間の一部又は全部を塞ぐステップ１と、ステップ１を格納する格納部と、ステップ１を張り出し格納するよう駆動する駆動部とを備えるプラットホーム用可動ステップ装置において、格納部は、プラットホーム縁の切欠部に設けた箱体からなり、駆動部を収納する。ステップ１は、回転基軸３を有する支持部で支持されており、駆動部の駆動により回転基軸３は回転し、支持部は移動してステップを張り出し格納する。【選択図】        図１
2006168610.tif 000002
【特許請求の範囲】
【請求項１】
列車とプラットホームの縁との間に形成される隙間の一部又は全部を塞ぐステップと、該ステップを格納する格納部と、ステップを張り出し格納するよう駆動する駆動部とを備えるプラットホーム用可動ステップ装置において、
前記格納部は、プラットホーム縁の切欠部に設けた箱体からなり、前記駆動部を据付けていることを特徴とするプラットホーム用可動ステップ装置。
【請求項２】
請求項１記載のプラットホーム用可動ステップ装置において、
前記ステップは、回転基軸を有する支持部で支持されており、駆動部の駆動により回転基軸は回転し、支持部は移動してステップを張り出し格納させることを特徴とするプラットホーム用可動ステップ装置。
【請求項３】
請求項２記載のプラットホーム用可動ステップ装置において、
前記支持部は複数あり、該支持部の回転基軸はそれぞれアーム有し、該アームは互いに連結棒で連結されることを特徴とするプラットホーム用可動ステップ装置。
【請求項４】
請求項３記載のプラットホーム用可動ステップ装置において、
前記支持部の回転基軸の１つは、前記駆動部の直線方向の駆動により回転し、他の回転基軸は、連結棒により回転することを特徴とするプラットホーム用可動ステップ装置。
【請求項５】
請求項４記載のプラットホーム用可動ステップ装置において、
前記アームは、直角方向に腕を伸ばした部材の先端の２ヶ所を調整付の１つの組合わせ部材で連結し、一方の腕は、さらに長くして駆動用の連結棒と連結できる構成のアーム構造であることを特徴とするプラットホーム用可動ステップ装置。
【請求項６】
請求項３記載のプラットホーム用可動ステップ装置において、
前記支持部の回転基軸の間隔は、プラットホーム上に別途設けた乗降部可動柵の開放幅よりも狭いことを特徴とするプラットホーム用可動ステップ装置。
【請求項７】
請求項２記載のプラットホーム用可動ステップ装置において、
前記回転基軸を有する一方の支持部は、ギヤを有し、手動の駆動機構であるピニオンを連結される事を特徴とするプラットホーム用可動ステップ装置。
【発明の詳細な説明】
【技術分野】
【０００１】
本発明は、軌道車両の駅構内のプラットホームに設置され、列車とプラットホームの縁との間に形成される隙間を塞ぐようにしたプラットホーム用可動ステップ装置に関する。
【０００２】
ステップは、プラットホームが曲線上または三線軌条部にあったり、車両断面の小さい車両が入線した際に生じる、車両とプラットホーム縁間の大きな隙間に乗降客が転落するおそれのある場合に設置される。
【背景技術】
【０００３】
従来のプラットホーム用可動ステップ装置としては、特許文献１がある。本公報では、ステップの両端に回転基軸を設け、一方可動式ホーム柵の戸袋軌道側に回転基軸を有する支持部材と駆動部を設けており、２つの回転基軸をアームで連結して前記駆動部により前記アームを回転させる簡単な機構で構成することで効率よく確実にステップを出没移動させるものである。ステップは、ホーム面より上にあり車両の床面との段差を小さくし、かつ設置のためのホーム掘り込みを不要にしたことを特徴としている。
【特許文献１】特開２００１−３２８５２９号公報
【発明の開示】
【発明が解決しようとする課題】
【０００４】
公知例では、プラットホームへの設置が容易となるようにアーム、回転基軸および駆動部をステップより上部に設け、またステップ上面上部に不可動のカバー部材を設けている。ステップをホーム面より上に配置することで、車両床面との段差を最小限にしているが、一方でステップを覆うカバーがホーム面より高くなるため図５に示すようにホーム面に段差が生じることになり、カバーに緩やかな傾斜をつけてホーム面との段差をできるだけ解消させる工夫が必要であるため、乗降客の乗り降り、あるいはホームに沿って通行する上での安全性に問題がある。さらにステップの出没機構を全てステップの上部に配置し、ステップの支持構造を可動式ホーム柵側に設けているため、ホーム柵のフレーム構造を頑強にする必要があり、ホーム柵自体が重くなる問題がある。また、ステップの支持および駆動機構がホーム柵の戸袋の軌道側端部、ホーム面上に見える構成となっており、先頭車両などの乗務員乗降口と旅客の乗降口では乗務員乗降口の通路が狭くなる問題がある他、乗降客の多い線区での乗り降りの際、車両とホーム柵の間に人が押し出される可能性があるが、前記支持および駆動機構が妨げとなり安全性に問題が生じる可能性がある。さらに反対ホームから駆動機構が見えるのは威圧感を与え、心理的にも不安感を与える他、意匠的にも美観を損ねる等の問題がある。
【０００５】
そこで、本発明の目的は、公知例と同様構造が簡単で、乗降客のホームでの通行および乗り降りの安全性と信頼性の高い装置でかつ装置の容易な構造のプラットホーム用可動ステップ装置を提供することにある。また、本発明の他の目的は、乗降客の安全性を最大限確保し、装置故障時の対応も考慮したプラットホーム用ステップ装置を提供することにある。
【課題を解決するための手段】
【０００６】
上記課題を解決するために、本発明は、ステップ装置を一体箱にしてホーム面下に設置し、ステップの支持および駆動機構を箱の中に設けて、ステップを回転機構により出没させる構成とする。一体箱の下面の２ヶ所に回転基軸を配置し、前記２ヶ所の回転基軸に対して、それぞれ２ヶ所に軸受を有した２つのアームを前記回転基軸にそれぞれ嵌合し、前記それぞれのアームの他方は軸受に回転基軸を嵌合し、前記回転基軸は、ステップである一体プレートに設けられた２ヶ所の穴にはめ込まれて固定する。前記回転基軸を軸としてアームを回転させることでステップを平行に出没させるために、それぞれの前記アームの回転基軸側にさらに軸受間の直線と直角方向に腕を付け、前記腕の先を調整可能な一本棒で連結する。電動による駆動は、一方の前記腕をさらに長くして、リンクと連結し、他方は、スライドガイドとボールネジ一体型に連結し、ボールネジ駆動にて前記リンクを引っ張ることで前記腕を引張り、一方のアームを回転させることで、調整可能な一本棒で連結されていることにより他方のアームも回転し、ステップが張り出す。格納方向に動かす場合は前述の逆の手順を踏む。一方、手動による駆動は、電動による駆動部を有する反対側の回転基軸にギヤと共に嵌合し、前記ギヤの噛み合い用にピニオンとプーリを１つの軸に嵌合した回転軸を配置して、他方にプーリ軸を配置しベルト連結する。プーリ軸にハンドルが取り付くボスを設け、前記プーリ軸を手動で回転させることによりベルトを介し、ピニオン、ギヤを回転させることで、アームが回転しステップを容易に出没させることが出来る。また、プラットホーム上に別途設けられたホーム柵と併用、ないしはホーム柵の乗降部可動柵の動作に関連させてステップを動作させること、ないしは車両側の乗降扉の動作に関連させてステップを動作させることで安全性を確保し、さらに、ステップが張り出して乗降客が乗降りしている際に、ステップが格納方向に動かないよう機械的にロックさせる機構を設け、より安全性を高めた構造とした。
【発明の効果】
【０００７】
本発明によれば、プラットホーム面下に設けられた一体箱の中に可動ステップ装置を配し、乗降用ステップを駆動させるために２ヶ所に配したアームをくの字にして、くの字の中心は、本体フレームに固定し、一方はステップに支持し他方は調整可能な一本棒でお互いに連結することで、限られたスペース内で乗降用ステップを水平方向に移動させることができる構造のため、機構が容易であり組立性とメンテナンス性の良いステップ装置が実現できる。また、一体箱で本体フレームの下面をフラットにすることが可能のため、設置用の工事は一体箱をプラットホームの側縁に沿って配置するようにしたので、プラットホーム面をフラットに最小限に掘り下げるだけで簡単に設置することができ、さらに設置作業性が向上する。また、アーム部を回転させるために容易に取り付け可能なハンドルを設けることにより、駆動部が故障し、駆動部による動作が不能となった際には、手動でステップを移動させることが可能となり、駆動部故障時においても、車両の運行に支障をきたさない、プラットホーム用ステップ装置が実現できる効果がある。その他、ステップをプラットホーム上に設けられたホーム柵の乗降部可動柵部分に設け、可動柵の動作に関連させてステップを動作させたり、車両側の乗降扉の動作に関連させてステップを動作させることにより乗降客の安全性のさらなる向上を図る効果がある。その他、ステップに緩衝材を取り付けることにより、万一ステップが張り出した状態（使用位置）において車両が進入し、ステップと車両が衝突した場合においても、衝撃力を緩和しステップ装置および車両の損傷を最小限とする効果がある。また構造上、その衝突力でステップが格納位置に移動するので、安全性が図られる効果がある。
【発明を実施するための最良の形態】
【０００８】
本発明を実施するための最良の形態を説明する。
以下、本発明のプラットホーム用可動ステップ装置の実施例について、図面を用いて説明する。
【実施例１】
【０００９】
実施例１を説明する。図１は本実施例のプラットホーム用可動ステップ装置の取り付け状態を示す平面図、図２は図１のＡ−Ａ断面図、図３は、図１のＢ−Ｂ断面図を示す。図１、図２、図３に示すように本実施の可動ステップ装置は、プラットホーム１０の縁部１２に設けられ、プラットホーム１０の縁１０ａと車両との間に形成される隙間を塞ぐようにして、車両への乗降時における乗客の安全性を確保するものである。
【００１０】
可動ステップ装置は、プラットホーム１０の縁１０ａに沿って配された一体のプレートからなる落下防止用のステップ１を備えている。ステップ１は、本体フレーム２とプラットホーム１０の縁部１０ａに形成した切欠部に設けた格納部１５に格納される。格納部１５には、格納位置から線路側の張り出し位置へ張り出しして車両との隙間の一部又は全部を塞ぐステップ１とそのステップ１を出没可能にするための回転機構とを有している。格納部１５には、さらに、この回転機構によりステップ１を出没可能に駆動するための駆動機構を据付けている。
【００１１】
可動ステップ装置は、プラットホーム面より下部に配置され、本体フレーム２の内部底面２ヶ所に回転基軸３を有する支持部を配置している。前記回転基軸３には、ベアリング４を介してアーム５，６が水平方向回転自在に結合され、アーム５，６の他方は、ベアリング４を介して回転基軸７を嵌合し、前記回転基軸７は、ステップ１と一体になるよう結合されている。アーム５，６の回転基軸３側は、２つのベアリングの中心線上と直角になる方向に腕５ａ、６ａを付け、それぞれ同じ長さの位置にブッシュを取付け、その位置を調整可能な１本棒８で連結する。アーム５の腕５ａは、さらに腕を長くして短いリンク９を連結している。前記リンク９の他方は、スライドガイド１１に支持され、かつボールねじ１２のボールねじナット１３に固定されたブラケット１４に連結されている。ボールねじ１２は、固定側サポートユニット１５に支持されカップリングを介して駆動モータ１６に接続されている。一方、アーム６側は、回転基軸３側にギヤ１７をアーム６と一体となるように結合されている。前記ギヤ１７に噛み合うピニオン１８を有した回転軸１９を配し、ピニオン１８と同列にプーリ２０を嵌合している。他方にタイミングベルト２１で連結されたプーリ軸２２を配置する。前記プーリ軸２２は、上面に六角頭の形状をもたせ、ボックススパナ等で簡単に回せる構造としている。
【００１２】
本構成により、駆動モータ１６を起動させることによりボールねじ１２が回転し、スライドガイド１１とボールねじナット１３に固定されたブラケット１４が直動する。固定されたブラケット１４が図１で示す仮想線の位置にあった場合、つまりは、ステップが格納位置にある場合であるが、駆動モータ１６側に移動することで、リンク９が引張られアーム５の腕５ａに回転作用力が働き、アーム５ａ、６ａは、調整可能な一本棒８で連結されていることによりアーム６の腕６ａにも回転作用力が働きアーム５，６が水平方向に回転し、それによりアーム５，６に結合されたステップ１は、水平方向に回転しながら平行に車両２５側に張り出し、使用位置に移動させることが出来る。図１は、ステップ１が使用位置に張り出しした状態を示しているが、前記駆動モータ１６を逆回転させることにより前記駆動部が逆方向に動作し、ステップ１を使用位置から格納位置に移動させることが出来る。
【００１３】
本実施例によれば、車両３１とプラットホーム１０間の大きな隙間（ギャップ）を塞ぐプラットホーム用ステップ位置を配置するに際しての、プラットホーム１０の掘下げ工事が最低限で済み、既存のプラットホームへの設置も容易なプラットホーム用ステップ装置が実現される。また同時に通常プラットホーム上面と同じ面に可動ステップ装置のカバーを配置することで、従来と何ら違和感のないプラットホーム用可動ステップ装置を提供できる。さらに駆動機構も平行リンクを応用したシンプルな構造のため組立性、メンテナンス性共に容易となる。また、支持部の回転基軸等は、ステップを下から支えており、乗降客の邪魔にならないため、回転基軸の間隔を自由に設定でき、例えばプラットホーム上に別途設けた乗降部可動柵の開放幅よりも狭くすることもできる。
【００１４】
なお、本装置において、ステップ１の格納位置から張り出し位置への移動は、車両の停止後、車両の乗降口ドアの開扉動作ないし、ホーム柵３２の乗降部可動扉部の開扉動作に連動して動作させる。また、ステップ１の張り出し位置から格納位置への移動は、車両の乗降ドアの閉扉動作ないしは、ホーム柵３２の乗降部可動扉部の閉扉動作部に連動して動作させることができる。
【００１５】
また、駆動モータ１６が故障し駆動動作が不能となった際には、プーリ軸２２に容易に取り付け可能なハンドル（市販のスパナなど）により、前記プーリ軸２２を手動で回転させるプーリとベルトの組み合わせを説明したが、ベルトは交換部品であるため、ベルトの代りに多段ギヤの組み合わせでも可能である。その他、ステップ１の長手方向両端部を斜め形状にしてゴム板等を取付けることにより、万一ステップ１が張り出した状態（使用位置）において車両が進入し、ステップ１と車両が衝突した場合においても、ゴム板が緩衝材となるとともに、その衝突力でステップ１は格納位置に戻され、本ステップ装置の損傷を最低限に抑えることができる。
【実施例２】
【００１６】
実施例２を説明する。図４は本発明の別の実施例であり、アームの直下にギヤ１７を取り付け駆動装置としてピニオン付駆動モータと直接噛み合わせてアームを回転させることでステップ１を出没させるものである。図１のギヤ１７を他方の回転基軸３側にも同じように配し、前記ギヤ１７と噛み合わせるためのピニオン３４と駆動モータ３５を取り付ける。直接駆動させる方式のため構造が非常に簡単で部品数も少なく組立性も良いが、前記駆動モータ３５の寸法が大きくなり、本体フレーム３６の下面よりも下に張り出しするため、運搬、設置工事がやや劣る。いずれの実施例においても張り出し量は、アームの回転角度により調整することが可能であり、車両３１とプラットホーム１０間の大きな隙間（ギャップ）を塞ぐプラットホーム用ステップ装置が実現出来、また同時に通常プラットホーム上面と同じ高さに設置できるため、従来と違和感のないプラットホーム用ステップ装置も実現される。
【図面の簡単な説明】
【００１７】
【図１】実施例１のプラットホーム用可動ステップ装置の上部カバーを外した平面図。
【図２】図１のＡ−Ａ断面図。
【図３】図１のＢ−Ｂ断面図。
【図４】実施例２の可動ステップ装置の平面図。
【図５】公知例の可動ステップ装置側面図。
【符号の説明】
【００１８】
１・・・ステップ
２・・・本体フレーム
３・・・回転基軸
４・・・軸受
５・・・アーム
５ａ・・・アーム
６・・・アーム
６ａ・・・アーム
７・・・回転基軸
８・・・調整可能な一本棒
９・・・リンク
１０・・・プラットホーム
１０ａ・・・プラットホーム縁
１１・・・スライドガイド
１２・・・ボールねじ
１３・・・ボールねじナット
１４・・・ブラケット
１５・・・ステップ格納部
１６・・・駆動モータ
１７・・・ギヤ
１８・・・ピニオン
１９・・・回転軸
２０・・・プーリ
２１・・・ベルト
２２・・・プーリ軸
３１・・・車両
３２・・・ホーム柵
３４・・・ピニオン
３５・・・駆動モータ
３６・・・本体フレーム
【図１】
2006168610.tif 000003
【図２】
2006168610.tif 000004
【図３】
2006168610.tif 000005
【図４】
2006168610.tif 000006
【図５】
2006168610.tif 000007